(57)【要約】【課題】無駄のない再送要求を行うことができる基地局の制御方法、移動機の制御方法、基地局及び移動機を提供する。【解決手段】基地局１０が移動機１７を識別するために割り当てた移動機識別子（ＭＡＣ-ＩＤ）を移動機１７が保持したまま、移動機１７が省電力になる半接続状態（Semi Connected State）への遷移要求を移動機１７から受信し、要求に応じて基地局１０の状態を判定し、基地局１０の状態判定の結果、半接続状態への遷移要求に対して許可できない場合、許可できない理由を付した要求に対する応答を移動機１７に送信する。移動機１７は、この理由に応じて半接続状態への遷移要求の送信を制御する。【選択図】図３
2008219169.tif 000002
【特許請求の範囲】
【請求項１】
基地局が移動機を識別するために割り当てた移動機識別子を移動機が保持したまま、該移動機が省電力になる半接続状態への遷移要求を前記移動機から受信し、
該要求に応じて基地局の状態を判定し、
該基地局の状態判定の結果、前記半接続状態への遷移要求に対して許可できない場合、許可できない理由を付した前記要求に対する応答を前記移動機に送信することを特徴とする基地局の制御方法。
【請求項２】
前記基地局は、移動機を半接続状態へ遷移させる機能を前記基地局がサポートしているか否かにより、当該基地局の状態を判定することを特徴とする請求項１記載の基地局の制御方法。
【請求項３】
前記基地局は、移動機を半接続状態へ遷移させる機能を前記基地局がサポートしていない場合、該基地局がサポートしていないことを前記要求に対する応答に付して送信することを特徴とする請求項２記載の基地局の制御方法。
【請求項４】
前記基地局は、該基地局の収容状況に基づいて、当該基地局の状態を判定することを特徴とする請求項１記載の基地局の制御方法。
【請求項５】
前記基地局は、該基地局の収容状況を示す収容量が所定値を超えている場合、該基地局が収容量を超えていることを前記要求に対する応答に付して送信することを特徴とする請求項４記載の基地局の制御方法。
【請求項６】
前記基地局の収容量とは、該基地局が移動機を識別するために割り当てた移動機識別子の使用数または残数に基づくものであることを特徴とする請求項４記載の基地局の制御方法。
【請求項７】
前記基地局の収容量とは、該基地局が移動機に割り当てている通信チャネルの数または残数に基づくものであることを特徴とする請求項４記載の基地局の制御方法。
【請求項８】
移動機を識別するために基地局から割り当てられた移動機識別子を保持したまま、該移動機を省電力にする半接続状態への遷移要求を前記基地局に送信し、
該要求に対する応答を前記基地局から受信し、
該受信した応答が前記半接続状態への遷移要求に対して許可できない旨を示している場合、前記応答に付されている許可できない理由に基づいて、前記遷移要求を再送することを特徴とする移動機の制御方法。
【請求項９】
前記応答に付されている許可できない理由が、移動機を半接続状態へ遷移させる機能を前記基地局がサポートしていない旨を示している場合、前記遷移要求の再送を行わず、他の基地局またはセクタへハンドオフした場合に、新たに前記遷移要求を送信することを特徴とする請求項８記載の移動機の制御方法。
【請求項１０】
前記応答に付されている許可できない理由が、前記基地局の収容量が所定値を超えている旨を示している場合、所定時間経過後に、前記遷移要求を再送することを特徴とする請求項８記載の移動機の制御方法。
【請求項１１】
前記基地局の収容量とは、該基地局が移動機を識別するために割り当てた移動機識別子の使用数または残数に基づくものであることを特徴とする請求項１０記載の移動機の制御方法。
【請求項１２】
前記基地局の収容量とは、該基地局が移動機に割り当てている通信チャネルの数または残数に基づくものであることを特徴とする請求項１０記載の移動機の制御方法。
【請求項１３】
基地局が移動機を識別するために割り当てた移動機識別子を移動機が保持したまま、該移動機が省電力になる半接続状態への遷移要求を前記移動機から受信する受信手段と、
該要求に応じて基地局の状態を判定し、該基地局の状態判定の結果、前記半接続状態への遷移要求に対して許可できない場合、許可できない理由を付した前記要求に対する応答を前記移動機に送信する送信手段と、
を備える基地局。
【請求項１４】
移動機を半接続状態へ遷移させる機能を前記基地局がサポートしているか否かにより、当該基地局の状態を判定することを特徴とする請求項１３記載の基地局。
【請求項１５】
前記送信手段は、移動機を半接続状態へ遷移させる機能を前記基地局がサポートしていない場合、該基地局がサポートしていないことを前記要求に対する応答に付して送信することを特徴とする請求項１４記載の基地局。
【請求項１６】
前記基地局の収容状況に基づいて、当該基地局の状態を判定することを特徴とする請求項１３記載の基地局。
【請求項１７】
前記送信手段は、前記基地局の収容状況を示す収容量が所定値を超えている場合、該基地局が収容量を超えていることを前記要求に対する応答に付して送信することを特徴とする請求項１６記載の基地局。
【請求項１８】
前記基地局の収容量とは、該基地局が移動機を識別するために割り当てた移動機識別子の使用数または残数に基づくものであることを特徴とする請求項１６記載の基地局。
【請求項１９】
前記基地局の収容量とは、該基地局が移動機に割り当てている通信チャネルの数または残数に基づくものであることを特徴とする請求項１６記載の基地局。
【請求項２０】
移動機を識別するために基地局から割り当てられた移動機識別子を保持したまま、該移動機を省電力にする半接続状態への遷移要求を前記基地局に送信する送信手段と、
該要求に対する応答を前記基地局から受信する受信手段と、
該受信した応答が前記半接続状態への遷移要求に対して許可できない旨を示している場合、前記応答に付されている許可できない理由に基づいて、前記遷移要求を再送制御する制御手段と、
を備える移動機。
【請求項２１】
前記制御手段は、前記応答に付されている許可できない理由が、移動機を半接続状態へ遷移させる機能を前記基地局がサポートしていない旨を示している場合、前記遷移要求の再送を行わず、他の基地局またはセクタへハンドオフした場合に、新たに前記遷移要求を送信制御することを特徴とする請求項２０記載の移動機。
【請求項２２】
前記制御手段は、前記応答に付されている許可できない理由が、前記基地局の収容量が所定値を超えている旨を示している場合、所定時間経過後に、前記遷移要求を再送制御することを特徴とする請求項２０記載の移動機。
【請求項２３】
前記基地局の収容量とは、該基地局が移動機を識別するために割り当てた移動機識別子の使用数または残数に基づくものであることを特徴とする請求項２２記載の移動機。
【請求項２４】
前記基地局の収容量とは、該基地局が移動機に割り当てている通信チャネルの数または残数に基づくものであることを特徴とする請求項２２記載の移動機。
【発明の詳細な説明】
【技術分野】
【０００１】
この発明は、ＣＤＭＡ２０００ Evolution（Ultra Mobile Broadband：ＵＭＢ）に採用される半接続状態（Semi Connected State）に関連する、携帯無線通信における基地局の制御方法、移動機の制御方法、基地局及び移動機に関する。
【背景技術】
【０００２】
直交周波数分割多元接続（Orthogonal Frequency Division Multiple Access：ＯＦＤＭＡ）等のテクノロジーを使って高度化されたＣＤＭＡ２０００シリーズの上位レイヤに実装される機能である、半接続動作（Semi Connected Operation）が知られている。
この半接続動作においては、省電力を目的として、ミディアムアクセス制御識別子（Medium Access Control Identifier：ＭＡＣ-ＩＤ）をアサインされるが、上り回線（Reverse Link：ＲＬ）を送信しない、且つ、下り回線（Forward Link：ＦＬ）のアサインされた部分の受信を続ける半接続状態（Semi Connected State）を設ける。
【０００３】
この半接続状態は、ＣＤＭＡ２０００  Air Interface Evolution（Loosely Backwards Compatible：ＬＢＣ）において採用されたものであり（非特許文献１参照）、ＰＴＴ（Push To Talk）の受信時に用いると有効である。例えば、セルラーシステム上でのＰＴＴにおいては２以上の端末がグループとして扱われ、同時に、待機（アイドル）乃至受信状態にある。
つまり、２つ以上の端末をグループ化し、送話している端末以外は受信状態にすることで、ディスパッチ業務グループコール等の目的に用いる。この動作スタイルでは、端末は殆どの時間を受信のみで対応する。即ち、上りの送信を最小限に抑えることが消費電力の低減に貢献する。
【０００４】
ＰＴＴグループ内のある端末が送話を行うとき、グループ内の他の端末は受信を行う。待機状態から通話状態への移行は、アクセスステートを経る必要があるため、時間がかかる。従って、通話の頭の部分が途切れてしまう弊害があった。
端末は、下り回線のモニタは継続し、長い時間間隔で周期的に、基地局に対し受信状態のレポートを送る。基地局では、タイマーを張っていて周期的に端末からのレポートを監視しており、周期的なレポートが無くタイマーが満了（Expire）したら、半接続状態はクリアされる。
【０００５】
半接続状態（Semi Connected State）とは、移動機１７が以下の動作をする。
（１）省電力状態
（２）上り送信（リバースコントロールチャネルの送信）はしない
（３）ＭＡＣ-ＩＤを保持する
（４）定期的に上り又は下り回線の割り当て情報（F-SCCH：Forward Shared Control Channel）をモニターする
また、半接続状態は、上り送信を行うために、Access Attemptを行うと解除される。つまり、通信状態へ遷移すると解除される。
また、移動端末機の電力消費を低減する技術については特許文献１が開示している。
【特許文献１】特表２００３−５１７７４１号公報
【非特許文献１】3GPP2  TSG-CC21-20061030-009R2-Qualcomm＿Semi Connected＿Mode.pdf
【発明の開示】
【発明が解決しようとする課題】
【０００６】
しかしながら、半接続状態では、端末が、エアインターフェース上の各セクタ毎に割り当てられる５〜８ｂｉｔの値であるＭＡＣ-ＩＤをアサインされたまま、受信オンリーの状態になるため、ＭＡＣ-ＩＤが不足する事態が想定される。つまり、ＭＡＣ-ＩＤをアサインされたまま、端末が圏外へ移動すると、そのＭＡＣ-ＩＤが一定期間使用できないことになる。特に、電車や自動車が地下やトンネルに入る等、端末が一斉に圏外へ移動してしまう場合等では、特定のセクタでＭＡＣ-ＩＤが不足してしまう。
【０００７】
そのため、基地局では、端末からの要求に対して拒否するメッセージを実装する。このＭＡＣ-ＩＤの不足以外にも、基地局がサポートしていない、ネットワークが対応していない、通信チャネル（トラフィックチャネル）が多くエリア内の移動機に割り当てられていて半接続状態へ遷移させることができない等の場合も、同様に拒否していた。これに対し、端末は、拒否理由が基地局から通知されないので、再度、半接続状態を要求するため、無駄な要求を行っていた。
この発明の目的は、無駄のない再送要求を行うことができる基地局の制御方法、移動機の制御方法、基地局及び移動機を提供することである。
【課題を解決するための手段】
【０００８】
上記目的を達成するため、この発明に係る基地局の制御方法は、基地局が移動機を識別するために割り当てた移動機識別子を移動機が保持したまま、該移動機が省電力になる半接続状態への遷移要求を前記移動機から受信し、該要求に応じて基地局の状態を判定し、該基地局の状態判定の結果、前記半接続状態への遷移要求に対して許可できない場合、許可できない理由を付した前記要求に対する応答を前記移動機に送信することを特徴としている。
また、この発明において、前記基地局は、移動機を半接続状態へ遷移させる機能を前記基地局がサポートしているか否かにより、当該基地局の状態を判定することが好ましい。
【０００９】
また、この発明において、前記基地局は、移動機を半接続状態へ遷移させる機能を前記基地局がサポートしていない場合、該基地局がサポートしていないことを前記要求に対する応答に付して送信することが好ましい。
また、この発明において、前記基地局は、該基地局の収容状況に基づいて、当該基地局の状態を判定することが好ましい。
また、この発明において、前記基地局は、該基地局の収容状況を示す収容量が所定値を超えている場合、該基地局が収容量を超えていることを前記要求に対する応答に付して送信することが好ましい。
【００１０】
また、この発明において、前記基地局の収容量とは、該基地局が移動機を識別するために割り当てた移動機識別子の使用数または残数に基づくものであることが好ましい。
また、この発明は、前記基地局の収容量とは、該基地局が移動機に割り当てている通信チャネルの数または残数に基づくものであることが好ましい。
この発明に係る移動機の制御方法は、移動機を識別するために基地局から割り当てられた移動機識別子を保持したまま、該移動機を省電力にする半接続状態への遷移要求を前記基地局に送信し、該要求に対する応答を前記基地局から受信し、該受信した応答が前記半接続状態への遷移要求に対して許可できない旨を示している場合、前記応答に付されている許可できない理由に基づいて、前記遷移要求を再送することを特徴としている。
【００１１】
また、この発明において、前記応答に付されている許可できない理由が、移動機を半接続状態へ遷移させる機能を前記基地局がサポートしていない旨を示している場合、前記遷移要求の再送を行わず、他の基地局またはセクタへハンドオフした場合に、新たに前記遷移要求を送信することが好ましい。
また、この発明において、前記応答に付されている許可できない理由が、前記基地局の収容量が所定値を超えている旨を示している場合、所定時間経過後に、前記遷移要求を再送することが好ましい。
また、この発明において、前記基地局の収容量とは、該基地局が移動機を識別するために割り当てた移動機識別子の使用数または残数に基づくものであることが好ましい。
【００１２】
また、この発明において、前記基地局の収容量とは、該基地局が移動機に割り当てている通信チャネルの数または残数に基づくものであることが好ましい。
この発明に係る基地局は、基地局が移動機を識別するために割り当てた移動機識別子を移動機が保持したまま、該移動機が省電力になる半接続状態への遷移要求を前記移動機から受信する受信手段と、該要求に応じて基地局の状態を判定し、該基地局の状態判定の結果、前記半接続状態への遷移要求に対して許可できない場合、許可できない理由を付した前記要求に対する応答を前記移動機に送信する送信手段と、を備えることを特徴としている。
【００１３】
また、この発明において、移動機を半接続状態へ遷移させる機能を前記基地局がサポートしているか否かにより、当該基地局の状態を判定することが好ましい。
また、この発明において、前記送信手段は、移動機を半接続状態へ遷移させる機能を前記基地局がサポートしていない場合、該基地局がサポートしていないことを前記要求に対する応答に付して送信することが好ましい。
また、この発明において、前記基地局の収容状況を示す収容量に基づいて、当該基地局の状態を判定することが好ましい。
【００１４】
また、この発明において、前記送信手段は、前記基地局の収容状況を示す収容量が所定値を超えている場合、前記基地局が収容量を超えていることを前記要求に対する応答に付して送信することが好ましい。
また、この発明において、前記基地局の収容量とは、該基地局が移動機を識別するために割り当てた移動機識別子の使用数または残数に基づくものであることが好ましい。
また、この発明において、前記基地局の収容量とは、該基地局が移動機に割り当てている通信チャネルの数または残数に基づくものであることが好ましい。
【００１５】
この発明に係る移動機は、移動機を識別するために基地局から割り当てられた移動機識別子を保持したまま、該移動機を省電力にする半接続状態への遷移要求を前記基地局に送信する送信手段と、該要求に対する応答を前記基地局から受信する受信手段と、該受信した応答が前記半接続状態への遷移要求に対して許可できない旨を示している場合、前記応答に付されている許可できない理由に基づいて、前記遷移要求を再送制御する制御手段と、を備えることを特徴としている。
【００１６】
また、この発明において、前記制御手段は、前記応答に付されている許可できない理由が、移動機を半接続状態へ遷移させる機能を前記基地局がサポートしていない旨を示している場合、前記遷移要求の再送を行わず、他の基地局またはセクタへハンドオフした場合に、新たに前記遷移要求を送信制御することが好ましい。
また、この発明において、前記制御手段は、前記応答に付されている許可できない理由が、前記基地局の収容量が所定値を超えている旨を示している場合、所定時間経過後に、前記遷移要求を再送制御することが好ましい。
【００１７】
また、この発明において、前記基地局の収容量とは、該基地局が移動機を識別するために割り当てた移動機識別子の使用数または残数に基づくものであることが好ましい。
また、この発明において、前記基地局の収容量とは、該基地局が移動機に割り当てている通信チャネルの数または残数に基づくものであることが好ましい。
【発明の効果】
【００１８】
この発明によれば、半接続状態（Semi Connected State）への遷移要求に対する拒絶の理由を移動機が知ることができる。さらに、移動機は、半接続状態（Semi Connected State）への遷移要求（Semi Connected start）の送信が最適化され、無駄のない要求を行うことができるため、上りの送信リソースを節約することができる。
【発明を実施するための最良の形態】
【００１９】
以下、この発明を実施するための最良の形態について図面を参照して説明する。
図１は、この発明の一実施の形態に係る基地局の構成を示すブロック図である。図１に示すように、基地局１０は、アンテナ１１ａを介して、例えば、携帯電話機等の通信端末装置である、後述する移動機１７（図２参照）との間で信号の送受信を行うＲＦ送受信部１１、ＲＦ送受信部１１に接続された送信回路部１２及び受信回路部１３、基地局１０内で処理されるデータを格納する記憶部１４、及び送信回路部１２、受信回路部１３、記憶部１４とバス１５を介して接続され、基地局１０内の動作を制御する制御部１６を有している。
尚、本実施例では、「基地局」として説明しているが、「セクタ」も含むものである。
【００２０】
制御部１６は、必要に応じて上記各構成部と協働して、基地局１０が移動機１７を識別するために割り当てた移動機識別子（ＭＡＣ-ＩＤ）を移動機１７が保持したまま、移動機１７が省電力（power saving state）になる半接続状態（Semi Connected State）への遷移要求（Semi Connected start）を移動機１７から受信する受信手段として機能し、この遷移要求に応じて基地局１０の状態を判定し、基地局１０の状態判定の結果、半接続状態への遷移要求に対して許可できない場合、許可できない理由（Reject Reason）を付した遷移要求に対する応答（Semi Connected start Reject）を移動機１７に送信する送信手段として機能する。
【００２１】
基地局１０は、移動機１７を半接続状態へ遷移させる機能を基地局１０がサポートしているか否かにより、基地局１０の状態を判定し、また、基地局１０またはセクタの収容量に基づいて、基地局１０またはセクタの状態を判定する。送信手段は、移動機１７を半接続状態へ遷移させる機能を基地局１０またはセクタがサポートしていない場合、基地局１０またはセクタがサポートしていないことを遷移要求に対する応答に付して移動機１７へ送信し、基地局１０またはセクタの収容量が所定値を超えている場合、基地局１０またはセクタが収容量を超えていることを遷移要求に対する応答に付して移動機１７へ送信する。
この基地局１０またはセクタの収容量とは、基地局１０又はセクタが移動機１７を識別するために割り当てた移動機識別子の使用数または残数に基づくものであり、また、基地局１０またはセクタが移動機１７に割り当てている通信チャネルの数または残数に基づくものである。
【００２２】
図２は、この発明の一実施の形態に係る移動機の構成を示すブロック図である。図２に示すように、移動機１７は、アンテナ１８ａを介して基地局１０（図１参照）との間で信号の送受信を行うＲＦ送受信部１８、ＲＦ送受信部１８に接続された、送信系ＲＦ回路部１９及び受信系ＲＦ回路部２０、送信系ＲＦ回路部１９に接続された送信変調部２１、受信系ＲＦ回路部２０に接続された受信復調部２２、送信変調部２１及び受信復調部２２が接続された制御部２３、制御部２３に接続された記憶部２４を有している。
制御部２３は、送信変調部２１及び受信復調部２２が接続されたベースバンド信号処理部２５、ベースバンド信号処理部２５に接続されたプロトコル制御部２６、プロトコル制御部２６に接続されたマンマシンインターフェース制御部２７を有している。
【００２３】
このマンマシンインターフェース制御部２７には、ＬＣＤ（Liquid Crystal Display）等の表示部２８、情報入力用のキーボード等の入力装置２９、スピーカ３０ａ，３０ｂ、及びマイク３１が接続されている。
制御部２３は、必要に応じて上記各構成部と協働して、移動機１７を識別するために基地局１０から割り当てられた移動機識別子を保持したまま、移動機１７を省電力にする半接続状態への遷移要求を基地局１０に送信する送信手段として機能し、この遷移要求に対する応答を基地局１０から受信する受信手段として機能し、受信した応答が半接続状態への遷移要求に対して許可できない旨を示している場合、応答に付されている許可できない理由に基づいて、遷移要求を再送制御する制御手段として機能する。
また、半接続状態（Semi Connected State）とは、移動機１７が以下の動作をする。
（１）省電力状態
（２）上り送信（リバースコントロールチャネルの送信）はしない
（３）ＭＡＣ-ＩＤを保持する
（４）定期的に上り又は下り回線の割り当て情報（F-SCCH：Forward Shared Control Channel）をモニターする
また、半接続状態は、上り送信を行うために、Access Attemptを行うと解除される。つまり、通信状態へ遷移すると解除される。
【００２４】
この制御手段は、応答に付されている許可できない理由が、移動機１７を半接続状態へ遷移させる機能を基地局１０またはセクタがサポートしていない旨を示している場合、遷移要求の再送を行わず、他の基地局またはセクタへハンドオフした場合に、新たに遷移要求を他の基地局またはセクタに対して送信制御し、応答に付されている許可できない理由が、基地局１０またはセクタの収容量が所定値を超えている旨を示している場合、所定時間経過後に、遷移要求を基地局１０へ再送制御する。
また、基地局１０又はセクタの収容量とは、基地局１０又はセクタが移動機１７を識別するために割り当てた移動機識別子の使用数または残数に基づくものであり、または、基地局１０又はセクタが移動機１７に割り当てている通信チャネルの数または残数に基づくものである。
【００２５】
ここで、特定のセクタでＭＡＣ-ＩＤが不足してしまうことへの対応として、特定のセクタでの半接続状態（Semi Connected State）への遷移の禁止を実行する。
特定の基地局またはセクタでの半接続状態への遷移の禁止を実行するために、応答（Semi Connected start Reject）メッセージが使用可能である。
ネットワークは、端末（移動機１７）からの遷移要求（Semi Connected start）に対して、応答を返すことによって、端末が半接続状態に入ることを制限することができる。
応答メッセージにメッセージパラメータとして付加される「拒絶理由（Reject Reason）」によって、端末は、再度、遷移要求を送信する時期を変更する。これにより、不要なトラフィックを減らす。
【００２６】
つまり、「拒絶理由」が、この基地局またはセクタで移動機１７を半接続状態へ状態遷移させる機能をサポートしていない場合は、他の基地局またはセクタにハンドオフするまで、遷移要求は送らない。また、「拒絶理由」が、ＭＡＣ-ＩＤの不足や通信チャネルの不足等の現在の基地局またはセクタの制御できる容量を示すバッファ量（許容量、収容量）がオーバーフローするまたはオーバーフローしそうな場合には、同一セクタであっても、所定時間後に、再度、遷移要求を送信することが可能である。
次に、基地局１０の制御方法及び移動機１７の制御方法について説明する。
図３は、基地局の制御処理の流れを示すフローチャートである。図３に示すように、先ず、基地局１０が、移動機１７から、移動機１７が省電力になる半接続状態への遷移要求を受信する（ステップＳ１０１）。このとき、移動機１７は、基地局１０が移動機１７を識別するために割り当てた移動機識別子（ＭＡＣ-ＩＤ）を保持したままである。
【００２７】
次に、遷移要求に応じて許可できるか基地局１０またはセクタの状態を判定する（ステップＳ１０２）。この際、基地局１０またはセクタは、移動機１７を半接続状態へ遷移させる機能を基地局１０またはセクタがサポートしているか否かにより、基地局１０またはセクタの状態を判定する。また、基地局またはセクタの現在の収容状況に基づいて基地局１０またはセクタの状態を判定する。
状態判定の結果、半接続状態への遷移要求に対して許可できる（ＹＥＳ）場合、移動機１７を半接続状態へ遷移させて（ステップＳ１０３）、その後、処理を終了する。一方、半接続状態への遷移要求に対して許可できない（ＮＯ）場合、許可できない理由を付した遷移要求に対する応答を移動機１７へ送信し（ステップＳ１０４）、その後、処理を終了する。
【００２８】
つまり、基地局１０は、移動機１７を半接続状態へ遷移させる機能を基地局１０またはセクタがサポートしていない場合、基地局１０またはセクタがサポートしていないことを遷移要求に対する応答に付して送信する。また、基地局１０またはセクタは、基地局１０またはセクタの収容量に基づいて状態を判定し、基地局１０またはセクタの収容量が所定値を超えている場合、基地局１０またはセクタが収容量を超えていることを遷移要求に対する応答に付して送信する。
図４は、移動機の制御処理の流れを示すフローチャートである。図４に示すように、先ず、移動機１７を省電力にする半接続状態への遷移要求を基地局１０に送信する（ステップＳ２０１）。移動機１７は、移動機１７を識別するために基地局１０から割り当てられた移動機識別子（ＭＡＣ-ＩＤ）を保持したままである。
【００２９】
次に、遷移要求に対する応答を基地局１０から受信する（ステップＳ２０２）。そして、受信した応答が半接続状態への遷移要求に対して許可できる旨を示しているか判定し（ステップＳ２０３）、許可できる（ＹＥＳ）旨を示している場合、半接続状態への遷移を許可し半接続状態へ遷移した後（ステップＳ２０４）、処理を終了する。
一方、許可できない（ＮＯ）旨を示している場合、応答に付されている許可できない理由に基づいて、遷移要求を再送するが、このとき、応答に付されている許可できない理由を判定し（ステップＳ２０５）、応答に付されている許可できない理由が、移動機１７を半接続状態へ遷移させる機能を基地局１０またはセクタがサポートしていない旨を示している場合、遷移要求の再送を行わず、他の基地局またはセクタへハンドオフするのを待ってハンドオフした場合に、新たに遷移要求をハンドオフした他の基地局またはセクタへ送信する（ステップＳ２０６）。また、応答に付されている許可できない理由が、基地局１０またはセクタの収容量が所定値を超えている旨を示している場合、所定時間経過後に、遷移要求を再送する（ステップＳ２０７）。
【００３０】
図５は、基地局と端末の間におけるメッセージのやり取りを示すシーケンス図である。尚、図５では、現在の基地局１０の収容状況がオーバーフローまたはオーバーフローしそうな状態（収容量が所定値を越えている状態）であるものとする。図５に示すように、基地局１０から端末（移動機１７）へ、半接続開始要求を送信する。
半接続開始要求を受け取った移動機１７は、半接続状態への遷移要求（Semi Connected Start）を基地局１０へ送信する。この要求を受け取った基地局１０は、収容状況に応じて移動機１７に対し拒絶の理由を付した拒絶応答（Semi Connected Start Reject）を送信する。基地局１０からの拒絶応答を受けて、移動機１７は、拒絶の理由を確認して、該要求の送信間隔を調整（タイマーなどにより）所定間隔経過するまで送信を待つ。再度、半接続状態への遷移要求を基地局１０へ送信する。この要求に対して、そのときの基地局１０の収容状況が先の状態から変化し（収容量が所定値を下回る）、移動機１７を半接続状態へ遷移させることが可能になると、確認応答（Semi Connected Start Ack）を移動機１７へ送信する。確認応答を受け取った移動機１７は、半接続状態（Semi Connected State）に遷移する。
【００３１】
その後、半接続状態を終了する場合、移動機１７が半接続状態終了（Semi Connected End）を基地局１０へ送信する。半接続状態終了を受け取った基地局１０は、確認応答を移動機１７へ送信する。
尚、図５のシーケンスにおいて、基地局１０からの半接続開始要求（Semi Connected Start Request）の送信を省略して、移動機１７が半接続状態への遷移要求を送信することから開始しても良い（移動機主体）。
図６は、拒絶応答受信後の移動機による処理の流れを示すフローチャートである。図６に示すように、移動機１７が、基地局１０からの拒絶応答を受信すると、拒絶理由（Reject Reason）毎の処理を行い（ステップＳ３０１）、その後、ネットワークがサポートしていない（NW ＮＯT Suport）か判定する（ステップＳ３０２）。このネットワークでは、移動機を半接続状態へ遷移させる機能をサポートしていない（ＹＥＳ）場合、半接続状態許可フラグ＝０とする（ステップＳ３０３）。これにより、半接続状態への遷移要求の送信を禁止する。
【００３２】
次に、異なるネットワークへ移動したことが検出されると（ステップＳ３０４）、半接続状態許可フラグ＝１とし（ステップＳ３０５）半接続状態への遷移要求の送信が可能となり、その後、拒絶応答処理を終了する。
ステップＳ３０２において、ネットワークをサポートしている（ＮＯ）場合、セクタまたは基地局をサポートしていない（Sector Not Suport）か判定する（ステップＳ３０６）。このセクタでは、移動機を半接続状態へ遷移させる機能をサポートしていない（ＹＥＳ）場合、半接続状態許可フラグ＝０とする（ステップＳ３０７）。
【００３３】
次に、異なるセクタへ移動したことが検出されると（ステップＳ３０８）、半接続状態許可フラグ＝１とし（ステップＳ３０９）、その後、拒絶応答処理を終了する。
ステップＳ３０６において、セクタまたは基地局をサポートしている（ＮＯ）場合、現在の収容量が多過ぎか判定する（ステップＳ３１０）。このセクタまたは基地局では現在の収容状況がオーバーフローまたはオーバーフローしそうな（ＹＥＳ）場合、半接続状態許可フラグ＝０とし、所定時間を設定してタイマーを動作させる（ステップＳ３１１）。
【００３４】
次に、タイムアウトを検出すると（ステップＳ３１２）、半接続状態許可フラグ＝１とし（ステップＳ３１３）、その後、拒絶応答処理を終了する。
ステップＳ３１０において、半接続状態へ遷移が許可された（ＮＯ）場合、半接続状態へ遷移する（ステップＳ３１４）。
【００３５】
なお、本発明は、上述した実施の形態により説明したが、この実施の形態に限定されるものではない。従って、本発明の趣旨を逸脱することなく変更態様として実施するものも含むものである。
【図面の簡単な説明】
【００３６】
【図１】この発明の一実施の形態に係る基地局の構成を示すブロック図である。
【図２】この発明の一実施の形態に係る移動機の構成を示すブロック図である。
【図３】基地局の制御処理の流れを示すフローチャートである。
【図４】移動機の制御処理の流れを示すフローチャートである。
【図５】基地局と移動機の間におけるメッセージのやり取りを示すシーケンス図である。
【図６】拒絶応答受信後の移動機による処理の流れを示すフローチャートである。
【符号の説明】
【００３７】
１０  基地局
１１ａ，１８ａ  アンテナ
１１，１８  ＲＦ送受信部
１２  送信回路部
１３  受信回路部
１４，２４  記憶部
１５  バス
１６，２３  制御部
１７  移動機
１９  送信系ＲＦ回路部
２０  受信系ＲＦ回路部
２１  送信変調部
２２  受信変調部
２５  ベースバンド信号処理部
２６  プロトコル制御部
２７  マンマシンインターフェース制御部
２８  表示部
２９  入力装置
３０ａ，３０ｂ  スピーカ
３１  マイク
【図１】
2008219169.tif 000003
【図２】
2008219169.tif 000004
【図３】
2008219169.tif 000005
【図４】
2008219169.tif 000006
【図５】
2008219169.tif 000007
【図６】
2008219169.tif 000008